(57)【要約】【課題】ストロボの発光回数も増加させることのできるバッテリホルダおよび撮影システムを提供する。【解決手段】電池１３を収納しストロボ装置２０を取り付け可能なカメラ本体１０と、ストロボ電池２３を収納するストロボ装置２９と、電池３３ａ、３３ｂを収納しカメラ本体１０に取り付け可能なバッテリホルダ３０と、ストロボ装置２０とバッテリホルダ３０に接続され、バッテリホルダ内のバッテリの電力を供給可能なケーブル４０と、カメラ本体１０に設けられ、電池１３のバッテリ残量を検知するバッテリチェック回路１１ｂと、ストロボ装置２０に設けられ、ストロボ電池２３のバッテリ残量を検知するバッテリチェック回路２２ａと、バッテリチェック回路２２ａによる検知結果に基づいて、ストロボ装置２０の電力が閃光発光を行うに不足している場合、ケーブル４０を介してバッテリホルダ３０からストロボ装置２０に電力を供給するＣＰＵ１１ａを有する。【選択図】  図１
2010181764.tif 000002
【特許請求の範囲】
【請求項１】
第１のバッテリを収納し、閃光発光装置を取り付け可能なカメラと、
第２のバッテリを収納する閃光発光装置と、
第３のバッテリを収納し、上記カメラに取り付け可能なバッテリホルダと、
上記カメラに設けられ、上記第１のバッテリ残量を検知する第１の検知手段と、
上記閃光発光装置に設けられ、上記第２のバッテリ残量を検知する第２の検知手段と、
上記カメラ若しくは上記バッテリホルダに設けられ、上記第３のバッテリ残量を検知する第３の検知手段と、
上記第２の検知手段による検知結果に基づいて、上記閃光発光装置の電力が閃光発光を行うに不足している場合、上記バッテリホルダから上記閃光発光装置に電力を供給する制御手段と、
を具備することを特徴とするカメラと付属品とからなる撮影システム。
【請求項２】
上記制御手段は、上記第２の検知手段による検知結果に基づいて、上記閃光発光装置の電力が閃光発光を行うに不足していると判定し、かつ、上記第３の検知手段による検知結果に基づいて、上記第３のバッテリ残量が閾値よりも高かった場合に、上記バッテリホルダから上記閃光発光装置に電力を供給することを特徴とする請求項１に記載の撮影システム。
【請求項３】
上記制御手段は、上記第２の検知手段による検知結果に基づいて、上記閃光発光装置の電力が閃光発光を行うに不足していると判定した場合であって、上記第３の検知手段による検知結果に基づいて、上記第３のバッテリ残量が閾値よりも低かった場合には、カメラ機能を停止し、またはストロボオフモードに設定することを特徴とする請求項１に記載の撮影システム。
【請求項４】
上記第３のバッテリの電力を上記閃光発光装置に供給可能とするため、上記閃光発光装置と上記バッテリホルダに接続されるケーブルを有することを特徴とした請求項１乃至請求項３に記載の撮影システム。
【請求項５】
第１のバッテリを収納し、閃光発光装置を取り付け可能なカメラと、
第２のバッテリを収納する閃光発光装置と、
第３のバッテリを収納し、上記カメラに取り付け可能なバッテリホルダと、
上記カメラに設けられ、上記第１のバッテリ残量を検知する第１の検知手段と、
上記閃光発光装置に設けられ、上記第２のバッテリ残量を検知する第２の検知手段と、
上記カメラ若しくは上記バッテリホルダに設けられ、上記第３のバッテリ残量を検知する第３の検知手段と、
上記第１の検知手段により上記第１のバッテリ残量の検知を行い、上記第１のバッテリが必要残量無い場合はさらに上記第３の検知手段により上記第３のバッテリ残量の検知を行い、上記第３のバッテリが必要残量無い場合には上記カメラの機能を停止し、上記第３のバッテリが必要残量ある場合は上記第３のバッテリを上記カメラ側に供給し、上記第１のバッテリが必要残量有る場合には引き続き上記第２の検知手段により検知を行い、上記第２のバッテリが必要残量無い場合には上記第３の検知手段により検知を行い、上記第３のバッテリの必要残量がない場合は上記カメラの機能を停止し、有る場合は上記第３のバッテリの電力を上記閃光発光装置に供給するように制御する制御手段と、
を具備することを特徴とするカメラと付属品とからなる撮影システム。
【請求項６】
上記制御手段は、上記カメラに設けられていることを特徴とする請求項５に記載の撮影システム。
【請求項７】
上記第３のバッテリの電力を上記閃光発光装置に供給可能とするため、上記閃光発光装置と上記バッテリホルダに接続されるケーブルを有することを特徴とした上記請求項５及び請求項６に記載の撮影システム。
【請求項８】
第１のバッテリを収納し、閃光発光装置を取り付け可能なカメラと、
第２のバッテリを収納する閃光発光装置と、
第３のバッテリを収納し、上記カメラに取り付け可能なバッテリホルダと、
上記カメラに設けられ、上記第１のバッテリ残量を検知する第１の検知手段と、
上記閃光発光装置に設けられ、上記第２のバッテリ残量を検知する第２の検知手段と、
上記カメラ若しくは上記バッテリホルダに設けられ、上記第３のバッテリ残量を検知する第３の検知手段と、
上記第１の検知手段により上記第１のバッテリのバッテリ残量の検知を行い、上記第１のバッテリが必要残量無い場合はさらに上記第３の検知手段により上記第３のバッテリの検知を行い、上記第３のバッテリの必要残量が無い場合は上記カメラの機能を停止し、上記第３のバッテリの必要残量がある場合は上記第３のバッテリの電力を上記カメラ側に供給し、上記第１のバッテリが必要残量ある場合には引き続き上記第２の検知手段により検知を行い、上記第２のバッテリが必要残量無い場合には上記第３の検知手段により検知を行い、上記第３のバッテリの必要残量がない場合は上記閃光発光装置の機能を停止し、有る場合は上記第３のバッテリ電力を上記閃光発光装置に供給するように制御する制御手段と、
を具備することを特徴とするカメラと付属品とからなる撮影システム。
【請求項９】
上記第３のバッテリの電力を上記閃光発光装置に供給可能とするため、上記閃光発光装置と上記バッテリホルダに接続されるケーブルを有することを特徴とした上記請求項８に記載の撮影システム。
【請求項１０】
閃光発光装置と、カメラ本体と、バッテリホルダとからなる撮影システムにおいて、
上記閃光発光装置内の第１電源の電圧を検知する第１電圧検知手段と、
上記バッテリホルダ内の第２電源の電圧を検知する第２電圧検知手段と、
上記第１電圧検知手段によって上記第１電源の電圧が低下し、上記第２電源の電圧が閾値より高い場合には、上記第２電源の電力を上記閃光発光装置に供給する制御手段と、
を具備することを特徴とする撮影システム。
【請求項１１】
上記第２電源の電力を上記閃光発光装置に供給するための電源供給手段を有することを特徴とした上記請求項１０に記載の撮影システム。
【請求項１２】
カメラ本体に装着可能なバッテリホルダであって、
電源電池と、
閃光発光装置に上記電源電池から電力を供給するための接続端子と、
上記閃光発光装置の電源電圧が閃光発光を行うに不足しており、上記電源電池の電圧が所定値より高い場合に、上記接続端子を介して、上記閃光発光装置に電力を供給する制御手段と、
を具備することを特徴とするバッテリホルダ。
【発明の詳細な説明】
【技術分野】
【０００１】
本発明は、撮影システムに関し、詳しくは、内蔵電池とは別のバッテリホルダを装着可能な撮影システム、およびこのバッテリホルダに関する。
【背景技術】
【０００２】
カメラ本体の内蔵電池のみでは撮影可能枚数が限られることから、バッテリホルダ装着可能な撮影システムが提供されている。例えば、特許文献１には、カメラを縦位置に構えたときの操作性を向上させるための縦位置撮影用グリップ装置が開示されており、この縦位置撮影用グリップ装置にはバッテリパックが収納可能となっている。
【先行技術文献】
【特許文献】
【０００３】
【特許文献１】特開２００６−１２９０４５号公報
【発明の概要】
【発明が解決しようとする課題】
【０００４】
特許文献１に開示のような撮影用グリップ装置は、カメラ本体に電源を供給可能であるが、外付けのストロボ装置に対しては電源供給することができない。カメラ本体での撮影可能枚数は増加しても、ストロボ装置での発光回数は増加しないため、バッテリホルダを装着しても、実質的に撮影可能枚数を増加させることができない。
【０００５】
本発明は、このような事情を鑑みてなされたものであり、ストロボの発光回数も増加させることのできるバッテリホルダおよび撮影システムを提供することを目的とする。
【課題を解決するための手段】
【０００６】
上記目的を達成するため第１の発明に係わる撮影システムは、第１のバッテリを収納し、閃光発光装置を取り付け可能なカメラと、第２のバッテリを収納する閃光発光装置と、第３のバッテリを収納し、上記カメラに取り付け可能なバッテリホルダと、上記カメラに設けられ、上記第１のバッテリ残量を検知する第１の検知手段と、上記閃光発光装置に設けられ、上記第２のバッテリ残量を検知する第２の検知手段と、上記カメラ若しくは上記バッテリホルダに設けられ、上記第３のバッテリ残量を検知する第３の検知手段と、上記第２の検知手段による検知結果に基づいて、上記閃光発光装置の電力が閃光発光を行うに不足している場合、上記バッテリホルダから上記閃光発光装置に電力を供給する制御手段と、を具備する。
【０００７】
第２の発明に係わる撮影システムは、上記第１の発明において、上記制御手段は、上記第２の検知手段による検知結果に基づいて、上記閃光発光装置の電力が閃光発光を行うに不足していると判定し、かつ、上記第３の検知手段による検知結果に基づいて、上記第３のバッテリ残量が閾値よりも高かった場合に、上記バッテリホルダから上記閃光発光装置に電力を供給する。
【０００８】
第３の発明に係わる撮影システムは、上記第１の発明において、上記制御手段は、上記第２の検知手段による検知結果に基づいて、上記閃光発光装置の電力が閃光発光を行うに不足していると判定した場合であって、上記第３の検知手段による検知結果に基づいて、上記第３のバッテリ残量が閾値よりも低かった場合には、カメラ機能を停止し、またはストロボオフモードに設定する。
第４の発明に係わる撮影システムは、上記第１の発明において、上記第３のバッテリの電力を上記閃光発光装置に供給可能とするため、上記閃光発光装置と上記バッテリホルダに接続されるケーブルを有する。
【０００９】
第５の発明に係わる撮影システムは、第１のバッテリを収納し、閃光発光装置を取り付け可能なカメラと、第２のバッテリを収納する閃光発光装置と、第３のバッテリを収納し、上記カメラに取り付け可能なバッテリホルダと、上記カメラに設けられ、上記第１のバッテリ残量を検知する第１の検知手段と、上記閃光発光装置に設けられ、上記第２のバッテリ残量を検知する第２の検知手段と、上記カメラ若しくは上記バッテリホルダに設けられ、上記第３のバッテリ残量を検知する第３の検知手段と、上記第１の検知手段により上記第１のバッテリ残量の検知を行い、上記第１のバッテリが必要残量無い場合はさらに上記第３の検知手段により上記第３のバッテリ残量の検知を行い、上記第３のバッテリが必要残量無い場合には上記カメラの機能を停止し、上記第３のバッテリが必要残量ある場合は上記第３のバッテリを上記カメラ側に供給し、上記第１のバッテリが必要残量有る場合には引き続き上記第２の検知手段により検知を行い、上記第２のバッテリが必要残量無い場合には上記第３の検知手段により検知を行い、上記第３のバッテリの必要残量がない場合は上記カメラの機能を停止し、有る場合は上記第３のバッテリの電力を上記閃光発光装置に供給するように制御する制御手段と、を具備する。
【００１０】
第６の発明に係わる撮影システムは、上記第５の発明において、上記制御手段は、上記カメラに設けられている。
第７の発明に係わる撮影システムは、上記第５及び第６の発明において、上記第３のバッテリの電力を上記閃光発光装置に供給可能とするため、上記閃光発光装置と上記バッテリホルダに接続されるケーブルを有する。
【００１１】
第８の発明に係わる撮影システムは、第１のバッテリを収納し、閃光発光装置を取り付け可能なカメラと、第２のバッテリを収納する閃光発光装置と、第３のバッテリを収納し、上記カメラに取り付け可能なバッテリホルダと、上記カメラに設けられ、上記第１のバッテリ残量を検知する第１の検知手段と、上記閃光発光装置に設けられ、上記第２のバッテリ残量を検知する第２の検知手段と、上記カメラ若しくは上記バッテリホルダに設けられ、上記第３のバッテリ残量を検知する第３の検知手段と、上記第１の検知手段により上記第１のバッテリのバッテリ残量の検知を行い、上記第１のバッテリが必要残量無い場合はさらに上記第３の検知手段により上記第３のバッテリの検知を行い、上記第３のバッテリの必要残量が無い場合は上記カメラの機能を停止し、上記第３のバッテリの必要残量がある場合は上記第３のバッテリの電力を上記カメラ側に供給し、上記第１のバッテリが必要残量ある場合には引き続き上記第２の検知手段により検知を行い、上記第２のバッテリが必要残量無い場合には上記第３の検知手段により検知を行い、上記第３のバッテリの必要残量がない場合は上記閃光発光装置の機能を停止し、有る場合は上記第３のバッテリ電力を上記閃光発光装置に供給するように制御する制御手段と、を具備する。
第９の発明に係わる撮影システムは、上記第８の発明において、上記第３のバッテリの電力を上記閃光発光装置に供給可能とするため、上記閃光発光装置と上記バッテリホルダに接続されるケーブルを有する。
【００１２】
第１０の発明に係わる撮影システムは、閃光発光装置と、カメラ本体と、バッテリホルダとからなる撮影システムにおいて、上記閃光発光装置内の第１電源の電圧を検知する第１電圧検知手段と、上記バッテリホルダ内の第２電源の電圧を検知する第２電圧検知手段と、上記第１電圧検知手段によって上記第１電源の電圧が低下し、上記第２電源の電圧が閾値より高い場合には、上記第２電源の電力を上記閃光発光装置に供給する制御手段と、を具備する。
第１１の発明に係わる撮影システムは、上記第１０の発明において、上記第２電源の電力を上記閃光発光装置に供給するための電源供給手段を有する。
【００１３】
第１２の発明に係わるバッテリホルダは、カメラ本体に装着可能なバッテリホルダであって、電源電池と、閃光発光装置に上記電源電池から電力を供給するための接続端子と、上記閃光発光装置の電源電圧が閃光発光を行うに不足しており、上記電源電池の電圧が所定値より高い場合に、上記接続端子を介して、上記閃光発光装置に電力を供給する制御手段と、を具備する。
【発明の効果】
【００１４】
本発明によれば、ストロボの発光回数も増加させることのできるバッテリホルダおよび撮影システムを提供することができる。
【図面の簡単な説明】
【００１５】
【図１】本発明の第１実施形態に係わるデジタルカメラの電気回路を示すブロック図である。
【図２】本発明の第１実施形態に係るデジタルカメラの電源供給の動作を示すフローチャートである。
【図３】本発明の第２実施形態に係るデジタルカメラの電源供給の動作を示すフローチャートである。
【発明を実施するための形態】
【００１６】
以下、図面に従って本発明を適用したデジタルカメラを用いて好ましい実施形態について説明する。図１は、本発明の第１実施形態に係わるデジタル一眼レフレックスカメラを含む撮影システムの構成を示すブロック図である。本システムは、カメラ本体１０、ストロボ装置２０、バッテリホルダ３０、およびケーブル４０から構成される。
【００１７】
カメラ本体１０は所謂デジタル一眼レフレックスカメラの本体であり、内部には、メイン基板１１、パワー基板１２、および内蔵の第１のバッテリである電池１３等を有している。メイン基板１１は、カメラ本体１０および撮影システム全体を制御および駆動を行うための電気回路を有する。電気回路としては、ＣＰＵ１１ａ、バッテリチェック回路（ＢＣ）１１ｂ、撮像素子、画像処理回路、通信回路、メモリ等を含む。ＣＰＵ１１ａは、メモリに記憶されたプログラムに従ってカメラ本体１０および撮影システム全体の制御を行う。バッテリ残量を検出するための第１の検知手段および第３の検知手段としてのバッテリチェック回路１１ｂは、内蔵の電池１３や、後述するバッテリホルダ３０内の電池３３ａ、３３ｂの電源電圧が閾値電圧より高いか否かの判定を行う。カメラ本体１０の上面には、ストロボ装置２０を装着するためのシュー１４が配置されている。
【００１８】
ストロボ装置２０は、被写体に対して補助光（フラッシュ光）を照射する補助照明装置であり、カメラ本体１０には、シュー１４において装着可能であると共に接点を介して電気的にも接続する。ストロボ装置２０内には、発光部２１、ストロボ制御基板２２、及び第２のバッテリであるストロボ電池２３等を有している。ストロボ電池２３はストロボ装置２０内における電源供給用の内蔵電池である。
【００１９】
ストロボ制御基板２２は、ストロボ電池２３から電源供給を受け、電源電圧を昇圧する。また、ストロボ制御基板２２は、カメラ本体１０内のメイン基板１１とシュー１４の接点を介して接続しており、この信号ラインを介してＸ接点からの発光タイミングや発光量に関する情報を取得する。さらに、ストロボ制御基板２２は、後述するケーブル４０を介して、バッテリホルダ３０とも接続し、バッテリホルダ３０より電源供給を受けることが可能である。
【００２０】
発光部２１はキセノン管およびその周辺回路から構成されており、ストロボ制御基板２２によって昇圧された電源が供給され、ストロボ制御基板２２からの発光指示に応じて閃光発光する。ストロボ制御基板２２内には、バッテリ残量を検出するための第２の検知手段であるバッテリチェック回路（ＢＣ）２２ａが設けられており、ストロボ電池２３の電圧が閾値より高いか否かの判定を行うことができる。この閾値は、ストロボ装置２０が閃光発光を行うだけの電力があるか否かの判定ができる値である。
【００２１】
バッテリホルダ３０は、カメラ本体１０に対して電源を供給するための外部電源装置であり、カメラを縦位置に構えたときの操作性を向上させるための縦位置撮影用グリップを兼ねている。バッテリホルダ３０は、三脚ネジなどの取り付けねじ等によりカメラ本体１０に装着可能であり、接点を介して電気的にも接続する。バッテリホルダ３０内には、バッテリホルダ制御基板３１、レリーズ釦３２、及び第３のバッテリである電池３３ａ、３３ｂ等を有している。
【００２２】
電池３３ａ、３３ｂは、カメラ本体１０の補助電源であり、図１では２つの電池３３ａ、３３ｂが配置されているが、１つでも３以上の電源電池を装着可能としても良い。電池３３ａ、３３ｂはバッテリホルダ制御基板３１に接続されており、このバッテリホルダ制御基板３１は、メイン基板１１との間に信号ラインで接続されており、また、パワー基板１２との間には電源供給ラインで接続されている。バッテリ制御基板３１は、ＣＰＵ１１ａからの指示を受けて、電池３３ａ、３３ｂのパワーを、パワー基板１２を通じて、カメラ本体１０に供給可能である。また、バッテリ制御基板３１はケーブル４０にも接続されており、ストロボ装置２０にも電源を供給可能である。
【００２３】
したがって、バッテリ制御基板３１は、ＣＰＵ１１ａの指示に応じて、電池３３ａ、３３ｂからのパワーを、カメラ本体１０やストロボ装置２０に供給することが可能である。なお、前述したように、メイン基板１１内のバッテリチェック回路（ＢＣ）１１ｂにおいて、バッテリホルダ３０の電池３３ａ、３３ｂの電圧が、カメラ本体１０の撮影動作を行うに充分、かつ、ストロボ装置２０が発光するのに充分であるための閾値電圧より高いか否かの判定が行われる。レリーズ釦３２は、カメラ本体１０内のメイン基板１１に接続されており、撮影者によるレリーズ釦の操作に応じてレリーズ信号をメイン基板１１に送信する。
【００２４】
ケーブル４０は電源供給手段である電源供給路を構成し、バッテリホルダ３０とストロボ装置２０に対して、脱着可能である。このケーブル４０を両者に装着することにより、バッテリホルダ３０内のバッテリホルダ制御基板３１と、ストロボ装置２０内のストロボ制御基板２２との間は電気的に接続される。
【００２５】
次に、本実施形態における動作を図２に示すフローチャートを用いて説明する。この図２に示す電源制御のフローは、カメラ本体１０内のＣＰＵ１１ａによるメインフローの実行中に実施される。
【００２６】
電源制御のフローに入ると、まず、ボディ側電源チェックを行う（＃１０１）。ここでは、メイン基板１１内の第１の検知手段としてのバッテリチェック回路１１ｂによって、カメラ本体１０内の電池１３の電源電圧が閾値より高いか否かの判定を行う。この第１の閾値である閾値としては、カメラ本体１０が正常に動作を実行できる程度の電源電圧に設定する。この判定の結果、電池１３の電圧が閾値より低かった場合には、バッテリホルダ３０が装着されているか、およびバッテリ電源チェックを行う（＃１０３）。バッテリホルダ３０が装着されている場合には、電気的接続がとれることから、この電気的接続がとれたか否かによって、バッテリホルダ３０が装着されていると判定する。また、バッテリホルダ３０が装着されていた場合には、メイン基板１１内の第３の検知手段としてのバッテリチェック回路１１ｂによって、バッテリホルダ３０内の電池３３ａ、３３ｂの電源電圧が第３の閾値である閾値より高いか否かの判定を行う。
【００２７】
ステップ＃１０３における判定の結果、バッテリホルダ３０が装着されており、バッテリホルダ３０内の電池３３ａ、３３ｂの電源電圧が閾値より高かった場合には、電池３３ａ、３３ｂの電力をカメラ本体１０側に供給する（＃１０５）。すなわち、ここでは、電池３３ａ、３３ｂの電力を、バッテリホルダ制御基板３１を介してパワー基板１２に供給し、パワー基板１２からカメラ本体１０（ボディ）内に電力が供給される。
【００２８】
ボディ側に電力供給を行うと、またはステップ＃１０１における判定の結果、カメラ本体１０側の電源電圧が閾値より高かった場合には、次に、ストロボ側の電源チェックを行う（＃１０７）。ここでは、ストロボ装置２０内の第２の検知手段としてのバッテリチェック回路２２ａは、ストロボ電池２３の電源電圧が第２の閾値である閾値より高いか否かを検出し、ＣＰＵ１１はバッテリチェック回路２２ａからこのバッテリチェック結果を取得し判定する。ここでの閾値はストロボ装置２０が閃光発光を行うに十分な電源電圧を設定する。この判定の結果、ストロボ電池２３の電源電圧が閾値より低かった場合には、ステップ＃１０３と同様にバッテリホルダ３０が装着されているか、および装着されていた場合には、電池３３ａ、３３ｂの電源電圧が閾値より高いか否かの判定を行う（＃１０９）。
【００２９】
ステップ＃１０９における判定の結果、バッテリホルダ３０内の電池３３ａ、３３ｂの電源電圧が閾値より高かった場合には、ストロボ装置２０に電源供給を行う（＃１１１）。この場合は、ストロボ装置２０内のストロボ電池２３の電源電圧が低く（＃１０７→Ｎｏ）、かつバッテリホルダ３０内の電池３３ａ、３３ｂの電源電圧が高い場合であることから（＃１０９→Ｙｅｓ）、バッテリホルダ３０の電力を、ケーブル４０を介してストロボ装置２０に供給する。この場合には、ＣＰＵ１１ａは、ストロボ制御基板２２とバッテリホルダ制御基板３１に対して、電力の供給先・供給元を切り換えるように指示する。
【００３０】
ステップ＃１０９またはステップ＃１０３における判定の結果、バッテリホルダ３０が装着されていなかったか、またはバッテリホルダ３０が装着されていても、電池３３ａ、３３ｂの電圧が低かった場合には、ホールト状態となる。この状態は、電源電圧が低く、カメラ本体１０が正常に動作しないことから、カメラ動作を停止させる。電池１３、電池３３ａ、３３ｂを取り換えることにより、メインフローから動作を再開する。
【００３１】
ステップ＃１１１において、ストロボ装置２０に電力供給を開始すると、またはステップ＃１０７における判定の結果、ストロボ装置２０内のストロボ電池２３の電源電圧が高かった場合には、この電源制御のフローを終了し、メインフローに戻る。
【００３２】
このように、本実施形態においては、カメラ本体１０内の電池１３の電源電圧が閾値より低い場合には、バッテリホルダ３０から電力供給を行うようにしている。また、ストロボ装置２０内のストロボ電池２３の電源電圧が閾値より低い場合には、バッテリホルダ３０から電力供給を行うようにしている。このため、カメラ本体２０における撮影枚数を増加させた場合でも、同様に、ストロボの発光回数も増加させることができる。
【００３３】
次に、本発明の第２実施形態について、図３を用いて説明する。第１実施形態においては、図２のステップ＃１０９における判定の結果、バッテリホルダ３０が装着されていなかったり、ストロボ電池２３の電源電圧が低かった場合には、ホールトモードに入っていた。第２実施形態においては、ストロボオフモードに設定するようにしている。
【００３４】
第２実施形態の構成は、第１実施形態と同様であり、図２に示した電源制御のフローを図３に示すフローに変更する点が相違するだけであるので、相違点を中心に説明する。なお、第２実施形態に係わるカメラ本体１０では、ストロボオフモードを設定することができる。このストロボオフモードは、カメラ本体１０にストロボ装置２０が装着されている場合であっても、ストロボ発光を禁止するモードである。
【００３５】
図３に示す第２実施形態に係わる電源制御のフローにおいて、第１実施形態と同様な処理を行うステップについては、同一のステップ番号を付し、詳細な説明を省略する。電源制御のフローに入ると、まず、カメラ本体１０における電池１３の電源電圧のチェックを行う（＃１０１）。判定の結果、カメラ本体側の電源電圧が低かった場合には、ステップ＃１０３以下に進むが、この場合は、第１実施形態と同様であるので詳しい説明は省略する。
【００３６】
ステップ＃１０１における判定の結果、カメラ本体側の電源電圧が十分高かった場合には、次に、第１実施形態の場合と同様、ストロボ装置２０の電源電圧のチェックを行う（＃１０７）。この判定の結果、電源電圧が低かった場合には、第１実施形態の場合と同様、バッテリホルダ３０が装着されているか、また装着されていた場合に、バッテリホルダ３０の電源電圧のチェックを行う（＃１０９）。
【００３７】
ステップ＃１０９における判定の結果、バッテリホルダ３０が装着されており、かつバッテリホルダの電源電圧が高い場合には、第１実施形態の場合と同様に、ストロボ装置２０にケーブル４０を介して電力を供給する（＃１１１）。一方、判定の結果、バッテリホルダ３０が装着されていないかった場合、または装着されていても電源電圧が低かった場合には、ストロボオフモードの設定を行う（＃１１３）。ストロボ装置３０が装着されていたとしても、ストロボ装置２０およびバッテリホルダ３０の電源電圧が十分ではないことから、ストロボ装置２０の発光を強制的に禁止するようにしている。すなわち、カメラ本体１０側からストロボ装置２０に対して、発光指示を出力しない。
【００３８】
ステップ＃１１３においてストロボオフモードを設定すると、またはステップ＃１１１においてストロボ装置２０側に電力供給すると、またはステップ＃１０７における判定の結果、ストロボ装置２０の電源チェックの結果、電源電圧が高かった場合には、元のメインフローにリターンする。
【００３９】
このように、第２実施形態においても第１実施形態と同様に、カメラ本体１０内の電池１３の電源電圧が閾値より低い場合には、バッテリホルダ３０から電力供給を行うようにしている。また、ストロボ装置２０内のストロボ電池２３の電源電圧が閾値より低い場合には、バッテリホルダ３０から電力供給を行うようにしている。このため、カメラ本体２０における撮影枚数を増加させた場合でも、同様に、ストロボの発光回数も増加させることができる。また、ストロボ装置２０およびバッテリホルダ３０における電源電圧が低かった場合には、自動的にストロボオフモードに設定するようにしている。このため、ストロボ装置２０において、無駄な発光を行うことを防止することができる。
【００４０】
以上説明したように、本発明の各実施形態においては、バッテリホルダの電力が閃光発光を行うに不足している場合には、バッテリホルダからストロボ装置２０に電力を供給するようにしている。このため、ストロボの発光回数も増加させることができる。
【００４１】
なお、本発明の各実施形態においては、バッテリチェック回路１１ｂは、カメラ本体２０のメイン基板１１内に設け、カメラ本体１０内の電池１３と、バッテリホルダ３０内の電池３３ａ、３３ｂのバッテリ残量の検出を行っていた。しかし、これに限らず、バッテリホルダ３０内の例えば、バッテリホルダ制御基板３１内にバッテリ残量を検出するバッテリチェック回路を設けても良いことは勿論である。
【００４２】
また、本発明の各実施形態においては、メイン基板１１にＣＰＵ１１ａを設け、バッテリホルダ制御基板３１は、ＣＰＵ１１ａからの指示に従って動作していた。しかし、これに限らず、バッテリホルダ制御基板３１にＣＰＵを設け、ＣＰＵ１１ａと通信をしながら、バッテリホルダ制御基板３１内のＣＰＵがバッテリホルダ３０の制御を行うようにしても良い。
【００４３】
さらに、本発明の各実施形態においては、バッテリホルダ３０とストロボ装置２０の間をケーブル４０で接続し、電力を供給するようにしていた。しかし、これに限らず、カメラ本体１０内に電力供給ラインを設け、この電力供給ラインを通じて、バッテリホルダ３０からストロボ装置２０に電力を供給するようにしても勿論かまわない。
【００４４】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、外付けの電源装置と、外付けのストロボ装置を装着可能な撮影装置であれば、本発明を適用することができる。
【００４５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００４６】
１０・・・カメラ本体（カメラ）、１１・・・メイン基板、１１ａ・・・ＣＰＵ、１１ｂ・・・バッテリチェック回路（ＢＣ）、１２・・・パワー基板、１３・・・電池、１４・・・シュー、２０・・・ストロボ装置（閃光発光装置）、２１・・・発光部、２２・・・ストロボ制御基板、２２ａ・・・バッテリチェック回路（ＢＣ）、２３・・・ストロボ電池（第１電源）、３０・・・バッテリホルダ、３１・・・バッテリホルダ制御基板、３２・・・レリーズ釦、３３ａ・・・電池（第２電源）、３３ｂ・・・電池（第２電源）、４０・・・ケーブル
【図１】
2010181764.tif 000003
【図２】
2010181764.tif 000004
【図３】
2010181764.tif 000005